(57)【特許請求の範囲】
【請求項１】
エアゾール容器の上端開口部内に内袋の上端開口部を挿入し、この内袋の上端開口部内にハウジングの上端を挿入固定し、このハウジングの上端面に金属製の蓋体を配置すると共に内袋の上端縁との間にパッキンを介在させるとともに、このパッキンの上面にハウジングの下面に設けた環状リブを当接して、内袋の内部からの内容物の漏洩を防止すると共にハウジング内に、流通口を介して上部室と下部室とを形成し、上部室には、ステムガスケットを介して上端を蓋体から外方に付勢突出するステムを上下動可能に装着し、下部室には内容物の噴射動作時にもステムの下端部を接触する事のない切替バルブを上下動可能に装着し、この切替バルブに、上部室と下部室とを連通する少量流通口を開口するとともに、切替バルブを流通口の弁座にスプリングで押圧付勢して、流通口を少量流通口の連通以外では閉止し、ステムを介した内容物の充填時には、充填圧力により切替バルブを押圧し、流通口を開放して内容物を迅速に充填可能とした事を特徴とする高速充填用エアゾールバルブ。
【発明の詳細な説明】
【０００１】
【産業上の利用分野】
本発明は、染毛剤等の頭髪用品、化粧品、消臭剤、制汗剤、その他の人体用品または殺虫剤、コーティング剤、クリーナー、その他の家庭用品、または工業用品、自動車用品、その他の内容物の噴射を行うエアゾール容器に於て、内容物の充填を高速に行う事を可能とした高速充填用エアゾール容器に係るものである。特に、内部に内袋を配置したエアゾール容器のバルブとして用いる場合に有効なものである。
【０００２】
【従来の技術】
従来より、図４に示す如く、内容物を充填するための内袋を外容器内に挿入し、この内袋の上端開口部にバルブ機構のハウジングの下端を挿入配置した二重エアゾール容器が存在する。そして、ハウジングから外部に突出したステムの上端部には内容物の噴射ノズルを設けた押釦等を接続し、内容物の噴射を可能としている。このような二重エアゾール容器の内袋内に内容物を充填するには、ハウジングから突出したステムの上端部に適宜の充填機(図示せず)を接続する。そして、ステムの押圧により、ステムを内袋方向に押し下げると、ステムガスケットにより閉鎖されていたオリフィスが開放されてバルブ機構が開弁する。そして、内容物は充填機からステム内の噴出路及びオリフィスを介してハウジング内に流入した後、内袋内に充填される。そして、充填が完了しステムの押し下げを解除する事により、ステムの位置が復元してバルブ機構が閉弁し、内袋内の内容物と外部とが遮断されるように構成されている。
【０００３】
また、内袋を用いないエアゾール容器に於いても、ステムの上端部に充填機を接続し、ステムを介してエアゾール容器内に内容物の充填を行う事が行われている。
【０００４】
【発明が解決しようとする課題】
しかしながら、内容物をステム内の細い噴出路と小径なオリフィスを介して充填する従来方法では、充填に時間が掛かり作業効率を悪くしていた。特に粘性が高い内容物はステムからの充填には多くの時間が掛かるものであった。また、このような欠点を除去するため、仮にステムの導出路やオリフィスの径を大きなものとすれば、充填時には迅速な充填が可能となる。しかしながら、このようなステムを使用して充填の完了後に内容物の噴射を行おうとすると、短時間で多量の内容物がオリフィス、噴出路、ノズル等から外部に噴射され良好な粒子径を得られなかったり、短時間で多量の内容物が噴出するため、塗布面に液垂れを生じる等のエアゾール容器を使用する上で極めて好ましくないものとなる事が容易に予想される。
【０００５】
本発明は上述の如き課題を解決しようとするものであって、エアゾール容器に内容物を高速に充填可能としてエアゾール製品の生産性を向上させる。また、エアゾール容器の噴射使用時には適量の内容物のみを噴射し、不必要に多量な内容物を噴射する事がないように構成するものである。
【０００６】
【課題を解決するための手段】
本発明は上述の如き課題を解決するため、エアゾール容器の上端開口部内に内袋の上端開口部を挿入し、この内袋の上端開口部内にハウジングの上端を挿入固定し、このハウジングの上端面に金属製の蓋体を配置すると共に内袋の上端縁との間にパッキンを介在させるとともに、このパッキンの上面にハウジングの下面に設けた環状リブを当接して、内袋の内部からの内容物の漏洩を防止すると共にハウジング内に、流通口を介して上部室と下部室とを形成し、上部室には、ステムガスケットを介して上端を蓋体から外方に付勢突出するステムを上下動可能に装着し、下部室には内容物の噴射動作時にもステムの下端部を接触する事のない切替バルブを上下動可能に装着し、この切替バルブに、上部室と下部室とを連通する少量流通口を開口するとともに、切替バルブを流通口の弁座にスプリングで押圧付勢して、流通口を少量流通口の連通以外では閉止し、ステムを介した内容物の充填時には、充填圧力により切替バルブを押圧し、流通口を開放して内容物を迅速に充填可能として成るものである。
【０００７】
【作用】
本発明は、上述の如く構成したものであるから、エアゾール容器のステムに内容物の充填機を接続して、ステムを押し下げながら高圧で内容物の充填を行うと、ステムの噴出路及びオリフィスを通って、内容物がハウジングの上部室内に流入する。この流入した内容物は、下部室に配置され流通口に弁座を密接している切替バルブを、その付勢力に抗して充填圧で押し下げ流通口を開口する。
【０００８】
この流通口の開口によって、ステムを介して充填された内容物は、迅速にエアゾール容器内に充填されるものとなる。そして、この開口された流通口の充填量に見合うだけの内容物が流通可能となる径の噴出路、オリフィスをステムに形成することが、本発明に於いては以下に説明する通り可能となる。即ち、内容物の充填を完了した時には、ステムは充填機による加圧力を受けないものとなるから、元位置に復帰し、オリフィスをステムガスケットによって閉止する。また、切替バルブも付勢力によって元位置に復元し、流通口に弁座を密着し流通口を閉止する。
【０００９】
そして、内容物を充填した上記エアゾール容器を用いて、通常の噴霧を行おうとする場合には、ステムの押釦を押圧してステムを押し下げる事により、ステムのオリフィスはステムガスケットと分離しオリフィスを開放する。ステムの噴出路とオリフィスは、上述の如く、内容物の高速充填が可能となるよう、直径を大きなものとしているが、切替バルブは上部室と下部室とを連通する少量流通口を形成しており、この少量流通口を、内容物の適量の噴出が可能となるよう小さなものとしておけば、エアゾール容器内からハウジングの上部室内に流入する内容物は、この少量流通口によって流量を最適な量に抑制される。従って、ステムの噴出路及びオリフィスの直径が大きなものであっても、必要とされる適量の内容物のみを、上部室を介してオリフィス、ステムに導く事になるから、過剰な内容物の噴射を生じる事がないものである。
【００１０】
その為、内容物の充填時には迅速な充填を可能としながら、噴出時にはその流量を絞った適量の内容物のみを、ノズル等から噴射する事が可能となるものである。
【００１１】
【実施例】
以下、本発明の一実施例を図１に於いて説明すれば、(１)はエアゾール容器で、金属、硬質プラスチック等で形成した外容器(２)と、変形容易なプラスチック等で形成した内袋(３)とから形成されている。そして、外容器(２)内に挿入配置した内袋(３)の上端開口部(４)内に、ハウジング(５)の上端を挿入固定している。このハウジング(５)は、上端面に金属製の蓋体(６)を配置すると共に内袋(３)の上端縁(７)との間にパッキン(８)を介在させるとともに、このパッキン(８)の上面にハウジング(５)の下面に設けた環状リブ(９)を当接して、内袋(３)の内部からの内容物の漏洩を防止している。また、内袋(３)の外周と外容器(２)との間にはシールガスケット(１０)を介在させ、内袋(３)を外側から加圧する噴射剤の漏洩を防止している。
【００１２】
また、ハウジング(５)の内部には、分離壁(１１)に設けた流通口(１２)を介して上部室(１３)と下部室(１４)とを形成している。そして、上部室(１３)には、ステムガスケット(１５)を介して上端を蓋体(６)から外方に付勢突出するステム(１６)を上下動可能に装着している。このステム(１６)は、上部室(１３)の下底(１７)との間に介装した押圧発条(１８)により上部方向に押圧付勢し、この付勢状態でステムガスケット(１５)によりオリフィス(２０)を密閉している。また、ステム(１６)のオリフィス(２０)及び内容物の噴出路(２１)は、内容物の迅速な充填を基準として寸法を形成し、内容物のノズル(２２)からの噴出量を最適なものとする考慮は必要がない。
【００１３】
また、下部室(１４)には内容物の噴射動作時にもステム(１６)の下端部を接触する事のない位置に切替バルブ(２３)を上下動可能に装着する。この切替バルブ(２３)に、上部室(１３)と下部室(１４)とを常時連通する少量流通口(２４)を開口する。この少量流通口(２４)は内容物の噴射量を最適なものとするための寸法に形成し、ノズル(２２)からの過剰な噴射を行うことがないよう噴射量を抑制している。この切替バルブ(２３)を流通口(１２)の弁座にスプリング(２５)で押圧付勢して、流通口(１２)を少量流通口(２４)の連通以外では、図１に示す如く常時は閉止している。また、ステム(１６)を介した内容物の充填時には、内容物の充填圧力により切替バルブ(２３)を押圧し、流通口(１２)を開放して内容物を迅速に充填可能としている。
【００１４】
上述の如く構成したものに於いて、エアゾール容器(１)に内容物を充填するには、図２に示す如く、ステム(１６)に充填機の充填ノズル(２６)を接続して行う。この充填ノズル(２６)は、ステム(１６)の上端に突き当てる突当部(２７)を設けると共に突当部(２７)の下面に、ステム(１６)の外周に密接するオーリング(２８)を配置する。また、充填ノズル(２６)の下端にはエアゾール容器(１)に突き当たった状態でステム(１６)の最適押し下げ量となる突当部(３０)を突設している。
【００１５】
そして、この充填ノズル(２６)によって図２に示す如く、ステム(１６)を押し下げながら高圧で内容物の充填を行うと、ステム(１６)の噴出路(２１)及びオリフィス(２０)を通って、内容物がハウジング(５)の上部室(１３)内に流入する。この流入した内容物は、下部室(１４)に配置され流通口(１２)に弁座を密接している切替バルブ(２３)を、その付勢力に抗して充填圧で押し下げ流通口(１２)を開口する。
【００１６】
この流通口(１２)の開口によって、ステム(１６)を介して充填された内容物は、迅速に内袋(３)内に充填されるものとなる。そして、この開口された流通口(１２)の充填量に見合うだけの内容物が流通可能となる径の噴出路(２１)、オリフィス(２０)をステム(１６)に形成することが、本発明に於いては可能となる。即ち、内容物の充填を完了した時には、ステム(１６)は充填ノズル(２６)による加圧力を受けないものとなるから、元位置に復帰し、オリフィス(２０)をステムガスケット(１５)によって閉止する。また、切替バルブ(２３)も付勢力によって元位置に復元し、流通口(１２)に弁座を密着し流通口(１２)を閉止する。
【００１７】
そして、内容物を充填した上記エアゾール容器(１)を用いて、通常の噴霧を行おうとする場合には、図３に示す如く、ステム(１６)の押釦(３１)を押圧してステム(１６)を押し下げる事により、ステム(１６)のオリフィス(２０)はステムガスケット(１５)と分離しオリフィス(２０)を開放する。ステム(１６)の噴出路(２１)とオリフィス(２０)は、上述の如く、内容物の高速充填が可能となるよう、直径を大きなものとしているが、切替バルブ(２３)は上部室(１３)と下部室(１４)とを常時連通する少量流通口(２４)を形成しているから、この少量流通口(２４)を、内容物の適量の噴出が可能となるよう小さなものとしておけば、エアゾール容器(１)内からハウジング(５)の上部室(１３)内に流入する内容物は、この少量流通口(２４)によって流量を最適な量に抑制される。従って、ステム(１６)の噴出路(２１)及びオリフィス(２０)の直径が大きなものであっても、必要とされる適量の内容物のみを、上部室(１３)を介してオリフィス(２０)、ステム(１６)に導く事になるから、過剰な内容物の噴射を生じる事がないものである。
【００１８】
【発明の効果】
本発明は、上述の如く構成したものであるから、エアゾール容器への内容物の充填時には迅速な充填を可能としながら、噴出時にはその流量を絞った適量の内容物のみを、ノズル等から噴射する事が可能となるものである。
【図面の簡単な説明】
【図１】  内袋を装着した状態の実施例を示す断面図。
【図２】  内容物の充填状態を示す断面図。
【図３】  内容物の噴射使用状態を示す断面図。
【図４】  従来公知例を示す断面図。
【符号の説明】
１  エアゾール容器
３  内袋
４  上端開口部
５  ハウジング
６  蓋体
１２  流通口
１３  上部室
１４  下部室
１５  ステムガスケット
１６  ステム
２３  切換バルブ
２４  少量流通口
【図１】
0004672906.tif 000002
【図２】
0004672906.tif 000003
【図３】
0004672906.tif 000004
【図４】
0004672906.tif 000005